(57)【特許請求の範囲】
【請求項１】
それぞれ複数の電池セルが配列されている二つ以上の電池モジュールアセンブリーが所定間隔をおいて互いに離隔した状態で一面に搭載されるベースプレート（ｂａｓｅ  ｐｌａｔｅ）と；
前記電池モジュールアセンブリーを内蔵した状態でベースプレートの一面に結合されたカバー（ｃｏｖｅｒ）部材と；
前記ベースプレートに対してカバー部材の装着状態を支持しながら、電池モジュールアセンブリー間の離隔部位に位置する補強支持部材と；
を含み、
前記補強支持部材は、少なくとも二つ以上の支持部の間にコネクトビーム（ｃｏｎｎｅｃｔ  ｂｅａｍ）が連結された構造からなり、
前記支持部の間に連結されたコネクトビームの長さは、補強支持部材の全体長さに対して１０％乃至３０％の大きさからなり、
前記補強支持部材は、互いに対向する支持部の両面がそれぞれカバー部材の湾入した内周面部位およびベースプレート上の電池モジュールアセンブリーの離隔部位に対面して結合され、
前記支持部は、ベースプレートおよびカバー部材に対面して結合される両面部位に水密用ガスケットが介在していることを特徴とする、電池パック。
【請求項２】
それぞれの電池モジュールアセンブリーは、一側の外周辺の長さが残りの外周辺の長さに比べて、相対的に大きい直六面体構造に形成されていることを特徴とする、請求項１に記載の電池パック。
【請求項３】
前記電池モジュールアセンブリーは、一つの電池モジュールアセンブリーにおける前記一側の外周辺と他の電池モジュールアセンブリーにおける前記一側の外周辺とが互いに対面する状態で前記ベースプレート上に搭載されていることを特徴とする、請求項２に記載の電池パック。
【請求項４】
前記電池モジュールアセンブリーの相互離隔距離は、補強支持部材の幅に対して１５０％乃至５００％の大きさであることを特徴とする、請求項１に記載の電池パック。
【請求項５】
前記ベースプレートには、電池モジュールアセンブリーが搭載される部位が区切られるように、電池モジュールアセンブリー間の離隔部位に区画空間が形成されていることを特徴とする、請求項１に記載の電池パック。
【請求項６】
前記ベースプレートの区画空間に補強支持部材が位置することを特徴とする、請求項５に記載の電池パック。
【請求項７】
前記カバー部材は、内周面が電池モジュールアセンブリー集合体の外周面に対応する構造に形成されていることを特徴とする、請求項１に記載の電池パック。
【請求項８】
前記カバー部材は、電池モジュールアセンブリー同士が区分されるように、電池モジュールアセンブリー間の離隔空間に対応する部位が内側に湾入した構造からなることを特徴とする、請求項７に記載の電池パック。
【請求項９】
前記支持部およびコネクトビームは一体型構造からなることを特徴とする、請求項１に記載の電池パック。
【請求項１０】
それぞれの支持部は、水平断面の形状が円形、四角形、三角形、または多角形構造の柱形状からなることを特徴とする、請求項１に記載の電池パック。
【請求項１１】
前記支持部は、カバー部材およびベースプレートに対面して結合される両面に締結具が結合される締結孔が形成されていることを特徴とする、請求項１に記載の電池パック。
【請求項１２】
前記締結孔は、支持部の互いに対向する両面を貫通する構造に形成されていることを特徴とする、請求項１１に記載の電池パック。
【請求項１３】
前記支持部の締結孔に対応するカバー部材およびベースプレートの部位にはそれぞれ貫通口が形成されており、前記締結具は、カバー部材またはベースプレートからこれに対向する方向に貫通口および締結孔を通して挿入および結合されることを特徴とする、請求項１１に記載の電池パック。
【請求項１４】
前記水密用ガスケットは、前記支持部の締結孔に対応する部位が貫通している構造からなることを特徴とする、請求項１１に記載の電池パック。
【請求項１５】
前記水密用ガスケットの素材は合成ゴム、天然ゴム、シリコーン樹脂、およびＰＶＣ（Ｐｏｌｙｖｉｎｙｌ  Ｃｈｌｏｒｉｄｅ）からなる群から選択されるいずれか一つ以上であることを特徴とする、請求項１に記載の電池パック。
【請求項１６】
前記合成ゴムはスチレン−ブタジエンゴム、ポリクロロプレンゴム、ニトリルゴム、ブチルゴム、ブタジエンゴム、イソプレンゴム、エチレンプロピレンゴム、多硫化物系ゴム、シリコーンゴム、フルオロ系ゴム、ウレタンゴム、およびアクリルゴムからなる群から選択される一つ以上であることを特徴とする、請求項１５に記載の電池パック。
【請求項１７】
前記電池セルはリチウム２次電池であることを特徴とする、請求項１に記載の電池パック。
【請求項１８】
請求項１に記載の電池パックを含むことを特徴とする、デバイス。
【請求項１９】
前記デバイスは電気自動車、ハイブリッド電気自動車、またはプラグインハイブリッド電気自動車からなる群より選択されるいずれか一つであることを特徴とする、請求項１８に記載のデバイス。
【発明の詳細な説明】
【技術分野】
【０００１】
本発明は、補強支持部材を含んでいる電池パックに関するものである。
【０００２】
[関連出願の相互参照]
本出願は、２０１５年１１月５日付の韓国特許出願第１０−２０１５−０１５４８３６号に基づく優先権の利益を主張し、当該韓国特許出願の文献に開示された全ての内容は本明細書の一部として含まれる。
【背景技術】
【０００３】
最近、モバイル機器に対する技術開発と需要が増加するに伴い、エネルギー源としての充放電が可能な２次電池の需要が急激に増加しており、それによって多様な要求に応じ得る２次電池に対する多くの研究が行われている。また、２次電池は、化石燃料を使用する既存のガソリン車両、ディーゼル車両などの大気汚染などを解決するための方案として提示されている電気自動車（ＥＶ）、ハイブリッド電気自動車（ＨＥＶ）、プラグ−インハイブリッド電気自動車（ＰＬＵＧ−ＩＮ ＨＥＶ）などの動力源としても注目されている。
【０００４】
したがって、バッテリーだけで運行できる電気自動車（ＥＶ）、バッテリーと既存のエンジンを併用するハイブリッド電気自動車（ＨＥＶ）などが開発され、一部は商用化されている。ＥＶ、ＨＥＶなどの動力源としての２次電池は、主にニッケル水素金属（Ｎｉ−ＭＨ）２次電池が使用されているが、最近は、高いエネルギー密度、高い放電電圧および出力安定性のリチウム２次電池を使用する研究が盛んに行われており、一部は商品化段階にある。
【０００５】
このような２次電池が自動車の動力源として利用される場合、前記２次電池は多数の電池モジュール乃至電池モジュールアセンブリーを含む電池パック形態で利用される。
このような場合に、前記電池パックを自動車のような多様な環境に露出するデバイスまたはシステムの動力源として使用するためには、多様な環境による外部衝撃のような刺激に対して、構造的安定性を維持し、多様な湿度および温度で電池モジュールの安全性を確保しなければならない。
【０００６】
これによって、自動車の動力源として利用される一部電池パックは、搭載空間を容易に確保し、外部の衝撃、湿度のような多様な要因による刺激を減少させることができるように、車両のトランク乃至座席の一部のような内部空間に搭載される。
【０００７】
しかし、このような車両用電池パックは大きな体積によって、前記内部空間に大きな部分を占めるようになり、相対的にトランク空間を十分に活用できなくなったり、自動車の座席を減らさなければならないという問題点がある。
【０００８】
したがって、このような問題点を根本的に解決できる技術に対する必要性の高いのが実情である。
【発明の概要】
【発明が解決しようとする課題】
【０００９】
本発明は、前記のような従来技術の問題点と過去から要請されてきた技術的課題を解決することを目的とする。
【００１０】
本出願の発明者らは鋭意研究と多様な実験を重ねた結果、後述するように、ベースプレート（ｂａｓｅ  ｐｌａｔｅ）に対してカバー（ｃｏｖｅｒ）部材の装着状態を支持しながら、電池モジュールアセンブリーの間の離隔部位に位置する補強支持部材を含むように構成することによって、電池パックの構造的安定性を向上させることができ、これによって外部デバイスの搭載空間に対する制約をなくしたり、減らしたりすることによって、多様な部位に搭載されて、外部デバイスの内部空間に対する活用度を高めることができることを確認して本発明を完成するに至った。
【課題を解決するための手段】
【００１１】
前記のような目的を達成するための本発明による電池パックは、
それぞれ複数の電池セルが配列されている二つ以上の電池モジュールアセンブリーが所定間隔をおいて互いに離隔した状態で一面に搭載されるベースプレート（ｂａｓｅ  ｐｌａｔｅ）と、
前記電池モジュールアセンブリーを内蔵した状態でベースプレートの一面に結合されたカバー（ｃｏｖｅｒ）部材と、
前記ベースプレートに対してカバー部材の装着状態を支持しながら、電池モジュールアセンブリーの間の離隔部位に位置する補強支持部材と、を含む構造からなる。
万一、前記構造において、電池モジュールアセンブリーの間に補強支持部材が位置しない場合、各電池モジュールアセンブリーは多様な駆動環境で電池パックに印加される外力によって、相対的に互いに異なる方向に流動することができ、これにより、各電池モジュールアセンブリーの間のベースプレート部位およびカバー部材部位に亀裂が発生できて、電池パックの全体的な構造的安定性が低下できる。
【００１２】
したがって、本発明による電池パックは、ベースプレート（ｂａｓｅ  ｐｌａｔｅ）とカバー（ｃｏｖｅｒ）部材の間で、電池モジュールアセンブリー間の離隔部位に位置する補強支持部材によって、電池パックの構造的安定性を向上させることができ、これによって外部デバイスの搭載空間に対する制約をなくしたり、減らしたりすることによって、多様な部位に搭載されて、外部デバイスの内部空間に対する活用度を高めることができる。
【００１３】
一つの具体的な例として、それぞれの電池モジュールアセンブリーは、一側の外周辺の長さが残り外周辺の長さに比べて相対的に大きい、直六面体構造に形成されている構造でありうる。
より具体的には、それぞれの電池モジュールアセンブリーは複数の電池セルが配列されて形成され、このような場合に、前記電池モジュールアセンブリーは電池セルの電気的な連結構造形成の容易性、車両の制限された搭載空間に対する適用の容易性などを考慮して、直六面体構造に形成することができる。
【００１４】
また、前記電池モジュールアセンブリーは相対的に大きなサイズからなる外周辺が互いに対面する状態でベースプレート上に搭載されている構造でありうる。
【００１５】
しかし、前記電池モジュールアセンブリーの搭載構造がこれに限定されるものではなく、前記電池モジュールアセンブリーは電池パックの搭載位置および搭載空間の形状により、多様な構造でベースプレート上に搭載および配列されることができる。
【００１６】
一方、前記電池モジュールアセンブリーの相互離隔距離は、補強支持部材の幅に対して１５０％乃至５００％の大きさでありうる。
【００１７】
前述したように、前記補強支持部材はベースプレートに対してカバー部材の装着状態を支持しながら、電池モジュールアセンブリー間の離隔部位に位置し、前記電池モジュールアセンブリーの相互離隔距離が補強支持部材の幅に対して所定の大きさで形成されることによって、前記補強支持部材が位置する部位には所定の空間が形成されることができる。
【００１８】
したがって、前記電池モジュールアセンブリー間の離隔部位には補強支持部材以外に、電池モジュールまたは電池モジュールアセンブリーを電気的に連結するための電気的連結部材が収納できる十分な空間が提供される。
【００１９】
万一、前記電池モジュールアセンブリーの相互離隔距離が補強支持部材の幅に対して１５０％未満の大きさの場合には、前記電気的連結部材が収納されるための空間を十分に確保できないし、これとは反対に、５００％を超える大きさの場合には、前記電池モジュールアセンブリー間の離隔距離が過度に大きくなって、補強支持部材による支持にもかかわらず、電池モジュールアセンブリーの相対的な流動を抑制できなくなり、これによって電池パックの構造的安定性を確保できない。
【００２０】
一つの具体的な例として、前記ベースプレートには、電池モジュールアセンブリーが搭載される部位が区切られるように、電池モジュールアセンブリー間の離隔部位に区画空間が形成されている構造であることもあり、このような場合に、前記ベースプレートの区画空間には補強支持部材が位置する構造でありうる。
【００２１】
言い換えると、前記区画空間は、電池モジュールアセンブリー間の離隔部位で電池モジュールアセンブリーの搭載部位を相互区分し、電池パック内に搭載されている各電池モジュールアセンブリーの流動を抑制することによって、構造的安定性を向上させることができる。
【００２２】
このような場合に、前記区画空間は、前記効果をより効果的に発揮することができるように、ベースプレートから所定高さに突出した隔壁によって形成されることができる。
また、前記カバー部材は、内周面が電池モジュールアセンブリー集合体の外周面に対応する構造に形成されている構造でありうる。
【００２３】
ここで、電池モジュールアセンブリー集合体の用語は、ベースプレート上に搭載される構造に配列された電池モジュールアセンブリーを意味する。
【００２４】
したがって、前記電池パックが車両に搭載される場合、所要空間を最小化できる。
【００２５】
この時、前記カバー部材は、電池モジュールアセンブリー同士が区分されるように、電池モジュールアセンブリー間の離隔空間に対応する部位が内側に湾入した構造からなることができる。
【００２６】
したがって、前記各電池モジュールアセンブリーは、カバー部材によって安定的に固定および維持され、これにより、電池パック内での流動を抑制することによって構造的安定性を向上させることができる。
【００２７】
また、前記補強支持部材は、電池モジュールアセンブリー間の離隔部位でベースプレートに対してカバー部材の装着状態を支持するので、前記電池モジュールアセンブリー間の離隔空間に対応する部位が内側に湾入したカバー部材の構造によって、補強支持部材の大きさが不必要に大きくなる必要がなく、これにより、前記補強支持部材の製作にかかる所要時間および費用を節約することができる。
【００２８】
また、前記電池パックが不規則な形状を有する車両のフレームの下面のような部位に搭載される場合、前記電池パックを装着および固定するための車両のフレームが前記カバー部材の湾入した空間に位置することができるので、より多様な外面形状を有する搭載部位に装着されて、安定的に電池パックの装着状態を固定および維持できる。
【００２９】
ここで、前記カバー部材は、このような効果を最大化することができるように、電池モジュールアセンブリー間の離隔空間だけでなく、多様な外面形状を有する搭載部位に対応して、より多様な部位が内側にさらに湾入した構造でありうることはもちろんである。
一方、前記補強支持部材は、少なくとも二つ以上の支持部間にコネクトビーム（ｃｏｎｎｅｃｔ  ｂｅａｍ）が連結された構造からなることができる。
【００３０】
したがって、前記補強支持部材は、相対的に軽量化された重量およびコンパクトなサイズであって、ベースプレートに対してカバー部材の装着状態を安定的に支持できる。
【００３１】
この時、前記支持部およびコネクトビームは、構造的安定性をより向上させることができるように、一体型構造からなることができる。
【００３２】
また、前記支持部間に連結されたコネクトビームの長さは、補強支持部材の全体長さに対して１０％乃至３０％の大きさからなる構造でありうる。
【００３３】
万一、前記支持部間に連結されたコネクトビームの長さが補強支持部材の全体長さに対して１０％未満の大きさからなる場合、前記補強支持部材が所望する支持力を発揮するために要求される強度に比べて、重量および／または大きさが増加できる。
【００３４】
これとは反対に、前記支持部間に連結されたコネクトビームの長さが補強支持部材の全体長さに対して３０％を超える場合には、前記支持部間の距離が離れすぎて、ベースプレートに対してカバー部材の装着状態を安定的に支持できないこともある。
【００３５】
一つの具体的な例として、それぞれの支持部は、水平断面の形状が円形、四角形、三角形、または多角形構造の柱形状からなることができ、より詳しくは、外力が均一に分散できるように、水平断面の形状が円形構造の柱形状からなることができる。
【００３６】
また、前記補強支持部材は、互いに対向する支持部の両面がそれぞれカバー部材の湾入した内周面部位およびベースプレート上の電池セルアセンブリーの離隔部位に対面して結合される構造でありうる。
【００３７】
上述したように、前記補強支持部材は、ベースプレートに対してカバー部材の装着状態を支持しながら、電池モジュールアセンブリー間の離隔部位に位置し、この時、前記カバー部材は、電池モジュールアセンブリー同士が区分されるように、電池モジュールアセンブリー間の離隔空間に対応する部位が内側に湾入した構造からなることができる。
【００３８】
したがって、前記補強支持部材は、柱形状からなる支持部の互いに対向する両面がそれぞれカバー部材の湾入した内周面部位およびベースプレート上の電池セルアセンブリーの離隔部位に対面して結合することによって、安定的に、前記ベースプレートに対してカバー部材の装着状態を支持できる。
【００３９】
このような場合に、前記支持部は、カバー部材およびベースプレートに対面して結合される両面に締結具が結合される締結孔が形成されている構造でありうる。
【００４０】
つまり、前記支持部は、両面に対面するカバー部材およびベースプレートとそれぞれ締結具によって結合される構造でありうる。
より具体的に、前記締結孔は、補強支持部材をより軽量化できるように、支持部の互いに対向する両面を貫通する構造に形成されている構造でありうる。
【００４１】
また、前記支持部の締結孔に対応するカバー部材およびベースプレートの部位にはそれぞれ貫通口が形成されており、前記締結具は、カバー部材またはベースプレートからこれに対向する方向に貫通口および締結孔を通して挿入および結合される構造でありうる。
【００４２】
言い換えると、前記補強支持部材の支持部は一つの締結具によって、カバー部材およびベースプレートと同時に結合される構造であることもあり、これにより、前記電池パックの構成がより簡素化されることができる。
【００４３】
一方、前記支持部は、ベースプレートおよびカバー部材に対面して結合される両面部位に水密用ガスケットが介在している構造でありうる。
【００４４】
したがって、前記支持部がベースプレートおよびカバー部材と対面して結合される部位を通して、外部から水分および汚物が流入される現象を効果的に防止することができる。
この時、前記水密用ガスケットは、支持部の締結孔に対応する部位が貫通している構造からなることができる。
【００４５】
したがって、前記ベースプレートおよびカバー部材と支持部を結合する締結具は水密用ガスケットの干渉なしに、容易に締結することができ、前記締結具の外周面とベースプレートおよびカバー部材の貫通口の内周面との間を通して、外部から水分および汚物が流入される現象を効果的に防止することができる。
【００４６】
一つの具体的な例として、前記水密用ガスケットの素材は、支持部とベースプレートおよびカバー部材の間に介在して所定の密封力と水分および汚物浸透防止効果を発揮できる素材であれば特に制限されるわけではなく、詳しくは、合成ゴム、天然ゴム、シリコーン、およびＰＶＣ（Ｐｏｌｙｖｉｎｙｌ  Ｃｈｌｏｒｉｄｅ）からなる群から選択されるいずれか一つ以上でありうる。
【００４７】
このような場合に、前記合成ゴムはスチレン−ブタジエンゴム、ポリクロロプレンゴム、ニトリルゴム、ブチルゴム、ブタジエンゴム、イソプレンゴム、エチレンプロピレンゴム、多硫化物系ゴム、シリコーンゴム、フルオロ系ゴム、ウレタンゴム、およびアクリルゴムからなる群から選択される一つ以上でありうる。
【００４８】
一方、本発明による電池パックをなす電池セルは、その種類に特に限定されるものではないが、具体的な例としては、高いエネルギー密度、放電電圧、出力安定性などの長所を有するリチウムイオン電池、リチウムイオンポリマー電池などのようなリチウム２次電池でありうる。
【００４９】
一般に、リチウム２次電池は、正極、負極、分離膜、およびリチウム塩含有非水電解液で構成されている。
【００５０】
前記正極は、例えば、正極集電体上に正極活物質、導電材およびバインダーの混合物を塗布した後、乾燥して製造され、必要によっては、前記混合物に充填剤をさらに添加することもある。
【００５１】
前記正極活物質は、リチウムコバルト酸化物（ＬｉＣｏＯ２）、リチウムニッケル酸化物（ＬｉＮｉＯ２）などの層状化合物や１またはそれ以上の遷移金属に置換された化合物；化学式Ｌｉ１＋ｘＭｎ２−ｘＯ４（ここで、ｘは０〜０．３３である）、ＬｉＭｎＯ３、ＬｉＭｎ２Ｏ３、ＬｉＭｎＯ２などのリチウムマンガン酸化物；リチウム銅酸化物（Ｌｉ２ＣｕＯ２）；ＬｉＶ３Ｏ８、ＬｉＦｅ３Ｏ４、Ｖ２Ｏ５、Ｃｕ２Ｖ２Ｏ７などのバナジウム酸化物；化学式ＬｉＮｉ１−ｘＭｘＯ２（ここで、Ｍ＝Ｃｏ、Ｍｎ、Ａｌ、Ｃｕ、Ｆｅ、Ｍｇ、ＢまたはＧａであり、ｘ＝０．０１〜０．３である）に表現されるＮｉサイト形リチウムニッケル酸化物；化学式ＬｉＭｎ２−ｘＭｘＯ２（ここで、Ｍ＝Ｃｏ、Ｎｉ、Ｆｅ、Ｃｒ、ＺｎまたはＴａであり、ｘ＝０．０１〜０．１である）、またはＬｉ２Ｍｎ３ＭＯ８（ここで、Ｍ＝Ｆｅ、Ｃｏ、Ｎｉ、ＣｕまたはＺｎである）に表現されるリチウムマンガン複合酸化物；化学式のＬｉ一部がアルカリ土金属イオンに置換されたＬｉＭｎ２Ｏ４；ジスルフィド化合物；Ｆｅ２（ＭｏＯ４）３などが挙げられるが、これらだけに限定されるものではない。
【００５２】
前記導電材は、通常的に正極活物質を含む混合物全体重量を基準に１ないし３０重量％で添加される。このような導電材は、当該電池に化学的変化を誘発することなく導電性を有するものであれば特に制限されるものではなく、例えば、天然黒鉛や人造黒鉛などの黒鉛；カーボンブラック、アセチレンブラック、ケッチェンブラック、チャンネルブラック、ファーネスブラック、ランプブラック、サーマルブラックなどのカーボンブラック；炭素繊維や金属繊維などの導電性繊維；フッ化カーボン、アルミニウム、ニッケル粉末などの金属粉末；酸化亜鉛、チタン酸カリウムなどの導電性ウィスキー；酸化チタンなどの導電性金属酸化物；ポリフェニレン誘導体などの導電性素材などが用いることができる。
前記バインダーは、活物質と導電材などの結合と集電体に対する結合とに助力する成分であって、通常正極活物質を含む混合物全体重量を基準に１ないし３０重量％で添加される。このようなバインダーの例としては、ポリフッ化ビニリデン、ポリビニルアルコール、カルボキシメチルセルロース（ＣＭＣ）、澱粉、ヒドロキシプロピルセルロース、再生セルロース、ポリビニルピロリドン、テトラフルオロエチレン、ポリエチレン、ポリプロピレン、エチレン−プロピレン−ジエンテルポリマー（ＥＰＤＭ）、スルホン化ＥＰＤＭ、スチレンブチレンゴム、フッ素ゴム、多様な共重合体などが挙げられる。
【００５３】
前記充填剤は、正極の膨張を抑制する成分として選択的に用いられ、当該電池に化学的変化を誘発せずとも繊維状材料であれば特に制限されるものではなく、例えば、ポリエチレン、ポリプロピレンなどのオレフィン系重合体；ガラス繊維、炭素繊維などの繊維状物質が用いられる。
【００５４】
前記負極は、負極集電体上に負極活物質を塗布、乾燥して製作され、必要に応じて前記のような成分などが選択的にさらに含まれてもよい。
【００５５】
前記負極活物質としては、例えば、難黒鉛化炭素、黒鉛系炭素などの炭素；ＬｉｘＦｅ２Ｏ３（０≦ｘ≦１）、ＬｉｘＷＯ２（０≦ｘ≦１）、ＳｎｘＭｅ１−ｘＭｅ’ｙＯｚ（Ｍｅ：Ｍｎ、Ｆｅ、Ｐｂ、Ｇｅ；Ｍｅ’：Ａｌ、Ｂ、Ｐ、Ｓｉ、周期律表の１族、２族、３族元素、ハロゲン；０<ｘ≦１；１≦ｙ≦３；１≦ｚ≦８）などの金属複合酸化物；リチウム金属；リチウム合金；ケイ素系合金；スズ系合金；ＳｎＯ、ＳｎＯ２、ＰｂＯ、ＰｂＯ２、Ｐｂ２Ｏ３、Ｐｂ３Ｏ４、Ｓｂ２Ｏ３、Ｓｂ２Ｏ４、Ｓｂ２Ｏ５、ＧｅＯ、ＧｅＯ２、Ｂｉ２Ｏ３、Ｂｉ２Ｏ４、またはＢｉ２Ｏ５などの金属酸化物；ポリアセチレンなどの導電性高分子；Ｌｉ−Ｃｏ−Ｎｉ系材料などが用いられる。
【００５６】
前記分離膜および分離フィルムは正極と負極との間に介在し、高いイオン透過度と機械的強度を有する絶縁性の薄い薄膜が使用される。分離膜の気孔直径は、通常０．０１〜１０μｍであり、厚さは、通常５〜３００μｍである。このような分離膜としては、例えば、耐化学性および疎水性のポリプロピレンなどのオレフィン系ポリマー；ガラス繊維またはポリエチレンなどからなるシートや不織布などが使用される。電解質としてポリマーなどの固体電解質が使用される場合には、固体電解質が分離膜を兼ねることもできる。
【００５７】
また、一つの具体例として、高エネルギー密度の電池の安全性の向上のために、前記分離膜および／または分離フィルムは有／無機複合多孔性のＳＲＳ（Ｓａｆｅｔｙ−Ｒｅｉｎｆｏｒｃｉｎｇ  Ｓｅｐａｒａｔｏｒｓ）分離膜でありうる。
【００５８】
前記ＳＲＳ分離膜は、ポリオレフィン系分離膜基材上に無機物粒子およびバインダー高分子を活性層成分として使用して製造され、このとき、分離膜基材自体に含まれている気孔構造とともに、活性層成分である無機物粒子間の空き空間（ｉｎｔｅｒｓｔｉｔｉａｌ  ｖｏｌｕｍｅ）によって形成された均一な気孔構造を有する。
【００５９】
このような有／無機複合多孔性分離膜を使用する場合、通常の分離膜を使用した場合に比べて、化成工程（Ｆｏｒｍａｔｉｏｎ）時のスウェリング（ｓｗｅｌｌｉｎｇ）による電池の厚さの増加を抑制できるという長所があり、バインダー高分子成分として、液体電解液の含浸時にゲル化が可能な高分子を使用する場合、電解質としても同時に使用することができる。
【００６０】
また、前記有／無機複合多孔性分離膜は、分離膜内の活性層成分である無機物粒子とバインダー高分子の含有量の調節によって優れた接着力特性を示すことができるので、電池組立工程を容易に行うことができるという特徴がある。
【００６１】
前記無機物粒子は、電気化学的に安定している限り、特に制限されない。つまり、本発明で使用できる無機物粒子は、適用される電池の作動電圧範囲（例えば、Ｌｉ／Ｌｉ＋を基準として０〜５Ｖ）で酸化および／または還元反応が起こらないものであれば、特に制限されない。特に、イオン伝達能力を有する無機物粒子を使用する場合、電気化学素子内のイオン伝導度を高め、性能向上を図ることができるので、可能な限りイオン伝導度が高いことが好ましい。また、前記無機物粒子が高い密度を有する場合、コーティング時に分散させることが難しいだけでなく、電池の製造時に重量が増加するという問題もあるため、可能な限り密度が小さいことが好ましい。また、誘電率が高い無機物である場合、液体電解質内の電解質塩、例えば、リチウム塩の解離度増加に寄与し、電解液のイオン伝導度を向上させることができる。
【００６２】
リチウム塩含有非水電解液は極性有機電解液およびリチウム塩からなっている。電解液としては、非水系液状電解液、有機固体電解質、無機固体電解質などが使用される。
【００６３】
前記非水系液状電解液としては、例えば、Ｎ−メチル−２−ピロリジノン、プロピレンカーボネート、エチレンカーボネート、ブチレンカーボネート、ジメチルカーボネート、ジエチルカーボネート、ガンマ−ブチロラクトン、１，２−ジメトキシエタン、テトラヒドロキシフラン（ｆｒａｎｃ）、２−メチルテトラヒドロフラン、ジメチルスルホキシド、１，３−ジオキソラン、ホルムアミド、ジメチルホルムアミド、ジオキソラン、アセトニトリル、ニトロメタン、ホルム酸メチル、酢酸メチル、リン酸トリエステル、トリメトキシメタン、ジオキソラン誘導体、スルホラン、メチルスルホラン、１，３−ジメチル−２−イミダゾリジノン、プロピレンカーボネート誘導体、テトラヒドロフラン誘導体、エーテル、プロピオン酸メチル、プロピオン酸エチルなどの非プロトン性有機溶媒を使用することができる。
【００６４】
前記有機固体電解質としては、例えば、ポリエチレン誘導体、ポリエチレンオキシド誘導体、ポリプロピレンオキシド誘導体、リン酸エステルポリマー、ポリエジテーションリシン（ａｇｉｔａｔｉｏｎ  ｌｙｓｉｎｅ）、ポリエステルスルフィド、ポリビニルアルコール、ポリフッ化ビニリデン、イオン性解離基を含む重合体などを使用することができる。
【００６５】
前記無機固体電解質としては、例えば、Ｌｉ３Ｎ、ＬｉＩ、Ｌｉ５ＮＩ２、Ｌｉ３Ｎ−ＬｉＩ−ＬｉＯＨ、ＬｉＳｉＯ４、ＬｉＳｉＯ４−ＬｉＩ−ＬｉＯＨ、Ｌｉ２ＳｉＳ３、Ｌｉ４ＳｉＯ４、Ｌｉ４ＳｉＯ４−ＬｉＩ−ＬｉＯＨ、Ｌｉ３ＰＯ４−Ｌｉ２Ｓ−ＳｉＳ２などのＬｉの窒化物、ハロゲン化物、硫酸塩などを使用することができる。
【００６６】
前記リチウム塩は、前記非水系電解質に溶解しやすい物質であって、例えば、ＬｉＣｌ、ＬｉＢｒ、ＬｉＩ、ＬｉＣｌＯ４、ＬｉＢＦ４、ＬｉＢ１０Ｃｌ１０、ＬｉＰＦ６、ＬｉＣＦ３ＳＯ３、ＬｉＣＦ３ＣＯ２、ＬｉＡｓＦ６、ＬｉＳｂＦ６、ＬｉＡｌＣｌ４、ＣＨ３ＳＯ３Ｌｉ、ＣＦ３ＳＯ３Ｌｉ、（ＣＦ３ＳＯ２）２ＮＬｉ、クロロボランリチウム、低級脂肪族カルボン酸リチウム、４フェニルホウ酸リチウム、イミドなどを使用することができる。
【００６７】
また、非水系電解液には、充放電特性、難燃性などの改善を目的として、例えば、ピリジン、トリエチルホスファイト、トリエタノールアミン、環状エーテル、エチレンジアミン、ｎ−グリム（ｇｌｙｍｅ）、ヘキサリン酸トリアミド、ニトロベンゼン誘導体、硫黄、キノンイミン染料、Ｎ−置換オキサゾリジノン、Ｎ，Ｎ−置換イミダゾリジン、エチレングリコールジアルキルエーテル、アンモニウム塩、ピロール、２−メトキシエタノール、三塩化アルミニウムなどが添加されてもよい。場合によっては、不燃性を付与するために、四塩化炭素、三フッ化エチレンなどのハロゲン含有溶媒をさらに含ませることもでき、高温保存特性を向上させるために二酸化炭酸ガスをさらに含ませることもできる。
本発明はまた、前記電池パックを含むデバイスを提供するところ、前記デバイスは電気自動車、ハイブリッド電気自動車、またはプラグインハイブリッド電気自動車からなる群より選択されるいずれか一つでありうる。
【００６８】
前記のようなデバイス乃至装置は当業界に公知となっているので、本明細書では、それについての具体的な説明を省略する。
【図面の簡単な説明】
【００６９】
【図１】本発明の一つの実施形態による電池パックの構造を概略的に示す分解図である。
【図２】図１の補強支持部材が装着されたベースプレートの構造を概略的に示す平面図である。
【図３】図１の補強支持部材の構造を概略的に示す模式図である。
【図４】図１の電池パックの側面構造を概略的に示す垂直断面図である。
【発明を実施するための形態】
【００７０】
以下、本発明の実施形態による図面を参照して本発明をさらに詳述するが、本発明の範疇がそれによって限定されるわけではない。
【００７１】
図１には、本発明の一実施形態による電池パックの構造を概略的に示す分解図が示されている。
【００７２】
図１を参照すれば、電池パック１００はベースプレート１１０、カバー部材１２０および２つの補強支持部材１３１、１３２を含んでいる。
【００７３】
ベースプレート１１０は、３つの電池モジュールアセンブリーが所定間隔をおいて互いに離隔した状態で搭載されるように、全体的に上面が下面方向に湾入した板状型構造からなる。
【００７４】
電池モジュールアセンブリー間の離隔部位には２つの補強支持部材１３１、１３２が位置できる区画空間１１１、１１２がベースプレート１１０からカバー部材１２０方向に、所定高さに突出した隔壁構造に形成されている。
【００７５】
したがって、電池モジュールアセンブリーの間の離隔部位で、電池モジュールの搭載部位１１４、１１５、１１６は区画空間１１１、１１２によって相互区分され、これにより、電池パック１００内に搭載される各電池モジュールアセンブリーの流動が抑制されることによって、構造的安定性が向上することができる。
【００７６】
区画空間１１１、１１２には補強支持部材１３１、１３２の支持部と対応する部位に締結具が挿入および結合されるように、貫通口１１３が形成されている。
【００７７】
カバー部材１２０は、内周面が電池モジュールアセンブリー集合体の外周面に対応する構造であって、各電池モジュールアセンブリー同士が区分されるように、電池モジュールアセンブリー間の離隔部位に対応する部位１２１、１２２が内側に湾入した構造となっている。
【００７８】
カバー部材１２０は、電池モジュールアセンブリー間の離隔部位に対応する部位１２１、１２２以外に、多様な外面形状を有する外部デバイスの搭載部位に対応して、両側に位置する電池モジュールアセンブリーの上面に対応する部位に追加してさらに湾入した部位１２３、１２４を含んでいる。
【００７９】
したがって、電池パック１００は、車両のフレーム下面のように多様な形状を有する部位に安定的に搭載されて固定されることができる。
【００８０】
カバー部材１２０は、中央部位に位置する電池モジュールアセンブリーの上面を覆う部位に外部デバイスの電池パック１００搭載部位に対応する構造に形成された傾斜部１２５を含んでいる。
【００８１】
そのため、カバー部材１２０の傾斜部１２５は、外部デバイスの電池パック１００搭載部位に対応する構造で電池パックの外形を構成すると同時に、中央部位に位置する電池モジュールアセンブリーの上面にＢＭＳなどの電気的連結装置および安全装置が搭載できる空間を提供することができる。
【００８２】
カバー部材１２０の傾斜部１２５には電池モジュールアセンブリーの上面に搭載される電気的連結装置および安全装置に対応する部位にホール１２６、１２７が形成されている。
【００８３】
したがって、前記電気的連結装置および安全装置に対する修理乃至検査時に、電池パック１００を完全に分解しなくても、カバー部材１２０の傾斜部１２５に形成されたホール１２６、１２７を通じて、より容易に前記修理乃至検査を行うことができる。
【００８４】
２つの補強支持部材１３１、１３２は、電池モジュールアセンブリー間の離隔部位に形成されたベースプレート１１０の区画空間１１１、１１２にそれぞれ位置し、ベースプレート１１０およびカバー部材１２０と対面して結合することによって、ベースプレート１１０に対してカバー部材１２０の装着状態を安定的に支持できる。
【００８５】
図２には、図１の補強支持部材が装着されたベースプレートの構造を概略的に示す平面図が示されている。
【００８６】
図２を参照すれば、ベースプレート１１０の上面には３つの電池モジュールアセンブリー搭載部位１１４、１１５、１１６が形成されており、各電池モジュールアセンブリー搭載部位１１４、１１５、１１６の間の離隔部位には補強支持部材１３１、１３２が位置して装着される区画空間１１１、１１２が形成されている。
【００８７】
電池モジュールアセンブリー搭載部位１１４、１１５、１１６は、直六面体構造に形成されている電池モジュールアセンブリーを搭載できるように、一側の外周辺の長さ２１１が、これに隣接した他側の外周辺の長さ２１２に比べて相対的に大きな構造となっている。
【００８８】
電池モジュールアセンブリー搭載部位１１４、１１５、１１６には剛性を補強できるように、電池モジュールアセンブリーの搭載方向に凸に突出した補強ビーム１１８が多数形成されている。
【００８９】
区画空間１１１、１１２の幅２２２は、補強支持部材１３１、１３２の幅２２１に対して約２００％の大きさからなっている。
【００９０】
したがって、電池モジュールアセンブリー搭載部位１１４、１１５、１１６間の区画空間１１１、１１２には補強支持部材１３１、１３２以外に、電池モジュールまたは電池モジュールアセンブリーを電気的に連結するための電気的連結部材が容易に収納されることができる。
【００９１】
ベースプレート１１０の外周辺には外部デバイスに対する装着のための締結孔１１９が多数形成されており、二つの角部位には外部デバイスの電池パックの搭載部位形状に対応して、傾斜部１１７ａ、１１７ｂがそれぞれ形成されている。
【００９２】
図３には、図１の補強支持部材の構造を概略的に示す模式図が示されている。
【００９３】
図３を参照すれば、補強支持部材１３１は支持部１３１ａの間にコネクトビーム１３１ｂが連続的に連結されている構造であって、支持部１３１ａおよびコネクトビーム１３１ｂは一体型構造となっている。
【００９４】
支持部１３１ａは互いに対向する両面が、それぞれカバー部材の湾入した内周面部位およびベースプレート上の電池セルアセンブリー間の区画空間に対面して結合される円筒形構造からなる。
【００９５】
カバー部材およびベースプレートに対面して結合される支持部１３１ａの両面には、締結具が結合される締結孔１３１ｄが貫通構造に形成されている。
【００９６】
支持部１３１ａの両面部位にはカバー部材およびベースプレートとの間に介在する水密用ガスケット１３１ｃが位置する。
【００９７】
水密用ガスケット１３１ｃは支持部１３１ａの水平断面形状と同じ円形となっており、支持部１３１ａの締結孔１３１ｄに対応する部位が貫通している構造となっている。
【００９８】
支持部１３１ａの間に連結されたコネクトビーム１３１ｂの長さＬ１は、補強支持部材１３１の全体長さＬ２に対して約１０％の大きさからなる。
【００９９】
図４には、図１の電池パックの側面構造を概略的に示す垂直断面図が示されている。
【０１００】
図４を参照すれば、カバー部材１２０およびベースプレート１１０と対面する補強支持部材１３１の支持部１３１ａの両面には、水密性ガスケット１３１ｃが装着されるガスケット装着溝４３１が支持部１３１ａの締結孔周囲に連続的に形成されている。
【０１０１】
水密性ガスケット１３１ｃはガスケット装着溝４３１に装着された状態で、支持部１３１ａの両面から所定の高さに突出しており、所定の弾性力を発揮するため、カバー部材１２０およびベースプレート１１０との間に、所望する密封力を発揮することができる。
【０１０２】
補強支持部材１３１の支持部１３１ａの締結孔１３１ｄは貫通構造であって、内面にねじ構造の溝４３６が形成されている。
【０１０３】
補強支持部材１３１の支持部１３１ａの締結孔１３１ｄに対応するカバー部材１２０およびベースプレート１１０の部位には、それぞれ貫通口４３２、４３３が形成されている。
【０１０４】
したがって、一つの締結具４３４は、ベースプレート１１０からこれに対向するカバー部材１２０方向に貫通口４３２、４３３および締結孔１３１ｄを通じてねじ構造で挿入および結合され、これによってベースプレート１１０、補強支持部材１３１およびカバー部材１２０が安定的に結合および維持される。
【０１０５】
本発明の属する分野における通常の知識を有する者であれば、上記内容に基づいて本発明の範疇内で様々な応用および変形を行うことが可能であろう。
【産業上の利用可能性】
【０１０６】
以上説明したように、本発明による電池パックは、ベースプレート（ｂａｓｅ  ｐｌａｔｅ）に対してカバー（ｃｏｖｅｒ）部材の装着状態を支持しながら、電池モジュールアセンブリー間の離隔部位に位置する補強支持部材を含むように構成することによって、電池パックの構造的安定性を向上させることができ、そのため、外部デバイスの搭載空間に対する制約をなくしたり、減らしたりすることによって、多様な部位に搭載されて、外部デバイスの内部空間に対する活用度を高めることができる効果がある。
【符号の説明】
【０１０７】
１００  電池パック
１１０  ベースプレート
１１１  区画空間
１１２  区画空間
１１３  貫通口
１１４  電池モジュールアセンブリー搭載部位
１１５  電池モジュールアセンブリー搭載部位
１１６  電池モジュールアセンブリー搭載部位
１１７  傾斜部
１１８  補強ビーム
１１９  締結孔
１２０  カバー部材
１２１  部位
１２２  部位
１２３  部位
１２４  部位
１２５  傾斜部
１２６  ホール
１２７  ホール
１３１  補強支持部材
１３２  補強支持部材
４３１  ガスケット装着溝
４３２  貫通口
４３３  貫通口
４３４  締結具
４３６  溝
【図１】
0006618220.tif 000002
【図２】
0006618220.tif 000003
【図３】
0006618220.tif 000004
【図４】
0006618220.tif 000005